(57)【要約】【課題】コントラストと輝度の均一性とを向上させること。【解決手段】実施形態に係る面状照明装置は、格子状に配列された複数の点光源と、複数の点光源のそれぞれの側面を囲う枠部を有する反射板と、少なくとも一部が枠部の開口面を挟んで点光源と対向して設けられるレンズとを備える。【選択図】図５
2019109993.tif 000002
【特許請求の範囲】
【請求項１】
格子状に配列された複数の点光源と、
前記複数の点光源のそれぞれの側面を囲う枠部を有する反射板と、
少なくとも一部が前記枠部の開口面を挟んで前記点光源と対向して設けられるレンズと
を備える面状照明装置。
【請求項２】
前記枠部は、
前記レンズ側から前記点光源側に向かって広がるテーパ状である
請求項１に記載の面状照明装置。
【請求項３】
前記レンズは、
前記点光源毎に設けられ、上面視において前記枠部における１つの開口よりも小さい
請求項１または２に記載の面状照明装置。
【請求項４】
前記レンズは、
前記点光源が実装される基板と当接する脚部を有し、前記脚部を介して前記基板に固定される
請求項３に記載の面状照明装置。
【請求項５】
前記レンズは、
前記複数の点光源のうち、短手方向に並んだ複数の前記点光源を覆う
請求項１または２に記載の面状照明装置。
【請求項６】
前記レンズは、
前記枠部によって支持される
請求項５に記載の面状照明装置。
【発明の詳細な説明】
【技術分野】
【０００１】
本発明は、面状照明装置に関する。
【背景技術】
【０００２】
近年、液晶表示装置の表示パネルを背面側から照明する面状照明装置がある。面状照明装置は、エッジライト型と、直下型とに大別される。また、面状照明装置においては、各点光源の光量をそれぞれ制御することによって、発光面の領域毎に輝度を調整することが可能である、いわゆるローカルディミング（エリア発光）対応の面状照明装置が知られている。
【０００３】
また、かかる面状照明装置は、輝度のコントラストとともに、隣接する複数の点光源を発光させた場合には、対応する発光面全体の輝度を均一にする輝度の均一性が求められる。
【先行技術文献】
【特許文献】
【０００４】
【特許文献１】特開２０１０−８８３７号公報
【発明の概要】
【発明が解決しようとする課題】
【０００５】
しかしながら、コントラストと輝度の均一性とは、トレードオフの関係にある。このため、従来の面状照明装置では、コントラストと輝度の均一性との双方を十分に確保することが困難であった。
【０００６】
本発明は、上記に鑑みてなされたものであって、コントラスト比と輝度の均一性とを向上させることができる面状照明装置を提供することを目的とする。
【課題を解決するための手段】
【０００７】
上述した課題を解決し、目的を達成するために、本発明の一態様に係る面状照明装置は、格子状に配列された複数の点光源と、前記複数の点光源のそれぞれの側面を囲う枠部を有する反射板と、少なくとも一部が前記枠部の開口面を挟んで前記点光源と対向して設けられるレンズとを備える。
【発明の効果】
【０００８】
本発明の一態様によれば、コントラスト比と輝度の均一性とを向上させることができる。
【図面の簡単な説明】
【０００９】
【図１】図１は、実施形態に係る面状照明装置の外観の一例を示す上面図である。
【図２】図２は、実施形態に係るレンズの配置例を示す上面図である。
【図３Ａ】図３Ａは、図１に示すＡ−Ａ線に沿った断面模式図（その１）である。
【図３Ｂ】図３Ｂは、図１に示すＡ−Ａ線に沿った断面模式図（その２）である。
【図４】図４は、実施形態に係る反射板の上面図である。
【図５】図５は、図４に示すＢ−Ｂ線に沿った断面模式図である。
【図６】図６は、実施形態に係るレンズの裏面側から見た斜視図である。
【図７】図７は、実施形態に係る反射板およびレンズの配光特性を示す図である。
【図８】図８は、実施形態に係る枠部の有無による輝度分布の比較結果を示す図（その１）である。
【図９】図９は、実施形態に係る枠部の有無による輝度分布の比較結果を示す図（その２）である。
【図１０】図１０は、実施形態に係る枠部の有無による輝度分布の比較結果を示す図（その３）である。
【図１１】図１１は、変形例に係るレンズの概要を示す図である。
【図１２】図１２は、変形例に係るレンズの固定例を示す図である。
【発明を実施するための形態】
【００１０】
以下、実施形態に係るレンズおよび面状照明装置について図面を参照して説明する。なお、以下に示す実施形態によりこの発明が限定されるものではない。また、図面における各要素の寸法の関係、各要素の比率等は、現実と異なる場合がある。また、図面の相互間においても、互いの寸法の関係や比率が異なる部分が含まれている場合がある。
【００１１】
まず、図１を用いて、実施形態に係る面状照明装置の概要について説明する。図１は、実施形態に係る面状照明装置の外観の一例を示す正面図である。本実施形態に係る面状照明装置１は、直下型の面状照明装置であり、各種液晶表示装置のバックライトとして用いられる。かかる液晶表示装置は、例えば、車両の電子スピードメータであるが、これに限定されない。
【００１２】
図１の例に示すように、実施形態に係る面状照明装置１は、フレーム１０で覆われていない出射領域から光を出射する。また、コネクタＣは、電源配線や信号配線等が接続される。すなわち、実施形態に係る面状照明装置１は、コネクタＣを介して電源や信号が供給される。
【００１３】
ところで、一般的に直下型の面状照明装置では、複数の点光源を格子状に配置し、点光源毎にレンズを設ける場合と、列状に配列した複数の点光源毎にレンズを設ける場合とがある。
【００１４】
本実施形態に係るレンズは、双方の場合に適用可能である。まず、第１の実施形態として、レンズが点光源毎に設けられる場合について説明する。図２は、第１の実施形態に係るレンズの配置を示す上面図である。なお、図２には、レンズ５０と点光源３０との位置関係を明確にするため点光源３０を併せて示す。
【００１５】
図２に示すように、点光源３０は、格子状に配置される。各点光源３０には、それぞれ出射方向からレンズ５０が設けられる。すなわち、面状照明装置１では、点光源３０が格子状に配置されるので、レンズ５０も格子状に配置されることとなる。
【００１６】
次に、図３Ａおよび図３Ｂを用いて第１の実施形態に係る面状照明装置１の内部構成について説明する。図３Ａおよび図３Ｂは、図１に示すＡ−Ａ線に沿った断面模式図である。図３Ａに示すように、実施形態に係る面状照明装置１は、フレーム１０と、基板２０と、点光源３０と、反射板４０と、レンズ５０と、拡散板６０と、スペーサ７０と、光学シート８０と、弾性部材９０とを備える。
【００１７】
フレーム１０は、剛性が大きい、例えば、ステンレス製の板金フレームであり、面状照明装置１の各部材を収容する。また、フレーム１０は、例えば、上フレーム１１と、下フレーム１２とを備える。
【００１８】
上フレーム１１は、下フレーム１２の上面側に配置される。上フレーム１１は、中央部に開口部が形成された矩形状の天板１１ａと、天板１１ａの周縁から下フレーム１２の外側面に沿って延伸する側壁１１ｂとを有する。下フレーム１２は、矩形状の底部１２ａと、底部１２ａの周縁から上フレーム１１の内側面に沿って延伸する側壁１２ｂとを有する。
【００１９】
基板２０は、例えばエポキシ樹脂またはＰＩ（ポリイミド）からなり、複数の点光源３０が格子状に実装される。点光源３０は、例えば、ＬＥＤ（Light  Emitting  Diode）である。点光源３０は、光軸がレンズ５０と略垂直となるように、基板２０上に配置される。
【００２０】
反射板４０は、例えば、白色の樹脂等で形成される。反射板４０は、レンズ５０で反射板４０側に反射した光をレンズ５０に向けて再度反射させる。これにより、出射効率を向上させることが可能である。なお、反射板４０の構成については、図４を用いて後述する。
【００２１】
レンズ５０は、点光源３０から出射した光の配光制御を行う。レンズ５０は、例えば外形形状が上面視において矩形状または略矩形状に形成される。レンズ５０の材質として、例えばＰＭＭＡ（ポリメチルメタクリレート）やポリカーボネートを用いることができるが、これに限定されない。レンズ５０によって配光制御された光は、拡散板６０に出射される。また、レンズ５０は、基板２０側へ突出した脚部５６を有する。例えば、レンズ５０は、例えば脚部５６の底面に接着剤等の接着部材が塗布され、基板２０に固定されるが、固定方法はこれに限定されない。なお、レンズ５０の詳細については、図５以降の図面を用いて後述する。
【００２２】
拡散板６０は、樹脂等の材料で構成され、レンズ５０から出射された光を拡散する機能を有する。すなわち、レンズ５０から出射した光は、拡散板６０によって拡散され、光学シート８０へ導かれる。
【００２３】
スペーサ７０は、レンズ５０と拡散板６０との間に配置され、レンズ５０と拡散板６０との間隔を一定に保持する。スペーサ７０の材質は特に限定されないが、例えば白色の樹脂で成形し、レンズ５０から出射する光を反射する機能を持たせてもよい。スペーサ７０は、面状照明装置１の長手方向（Ｘ軸）に沿って拡散板６０を下面側から押圧し、かかる長手方向に沿ってレンズ５０を上面側から押圧する。なお、スペーサ７０は、面状照明装置１の短手方向（Ｙ軸）については、必ずしもレンズ５０と拡散板６０との間隔を保持しなくてもよい。
【００２４】
光学シート８０は、拡散板６０から出射された光に対して均一化や配向制御などの光学的な調整を行って、光学的な調整が行われた光を出射する。図３に示す例では、光学シート８０が、第１シート８１と、第２シート８２との２枚のシートで構成される場合について例示している。
【００２５】
例えば、第１シート８１は、ＢＥＦ（Brightness  Enhancement  Film）であり、第２シート８２は、ＤＢＥＦ（Dual  Brightness  Enhancement  Film）であるが、面状照明装置１に求められる発光態様によって任意に変更することが可能である。また、光学シート８０は、例えば、接着剤や両面テープ等の接着部材によって拡散板６０の出射面に固定される。
【００２６】
弾性部材９０は、ゴムやスポンジ等の弾性を有する枠状の部材である。弾性部材９０は、光学シート８０上に設けられ、拡散板６０と光学シート８０とをスペーサ７０とで挟んで保持し、その弾性力でスペーサ７０を介してレンズ５０を押圧する。また、弾性部材９０は、面状照明装置１に振動が生じた場合、かかる振動を吸収する。弾性部材９０は、上フレーム１１と拡散板６０との間に配置され、上フレーム１１の天板側から拡散板６０を押圧する。なお、弾性部材９０は枠状に限らず、例えば断面形状が矩形状である棒状の弾性部材を複数本用いるものでもよい。
【００２７】
また、図３Ｂに示すように、弾性部材９０は、光学シート８０の上面を避けて設けられることにしてもよい。具体的には、弾性部材９０は、図３Ｂに示すように、拡散板６０の上面に設置され、天板１１ａによって拡散板６０側に押圧される。また、弾性部材９０の側面に光学シート８０が設置される。かかる場合に、光学シート８０は、上面視において拡散板６０よりも小さく、弾性部材９０は、光学シート８０が拡散板６０を覆っていない領域に設けられる。これにより、面状照明装置１の製造段階や、面状照明装置１に振動が生じた際に、光学シート８０が皺になることを抑制することができる。
【００２８】
続いて、図４を用いて反射板４０について説明する。図４は、実施形態に係る反射板４０の上面図である。なお、図４では、反射板４０の一部を抜粋して示し、点光源３０およびレンズ５０を併せて示す。図４に示すように、反射板４０は、底面４１と、枠部４２とを備える。
【００２９】
底面４１は、複数の開口部が設けられ、かかる開口部を介して基板２０上に実装された点光源３０が基板２０側から挿入される。枠部４２は、各点光源３０のそれぞれの側面を囲う。点光源３０が、格子状に配置されるので、枠部４２は、格子状に配置された点光源３０の側面をそれぞれ囲うように格子状に形成される。
【００３０】
このように、実施形態に係る反射板４０は、各点光源３０を仕切るように設けられる。これにより、レンズ５０で反射板４０へ反射した光が、隣接する点光源３０へ漏れることおよび点光源３０から反射板４０へと直接光が入射することを抑制することができる。換言すると、点光源３０を個別点灯した際のコントラストを向上させることも可能である。なお、例えば、枠部４２は、底面４１からレンズ５０側（紙面手前側）に向かって突出し、底面４１からレンズ５０側に向かって幅が狭くなるテーパ状の形状を有する。
【００３１】
続いて、図５を用いて実施形態に係る反射板４０の断面形状について説明する。図５は、図４に示すＢ−Ｂ線に沿った断面模式図である。なお、図５では、レンズ５０および点光源３０を併せて示す。
【００３２】
図５に示すように、断面視において枠部４２は、レンズ５０側から基板２０（点光源３０）に向けて広がるテーパ状である。言い換えれば、各点光源３０から見た場合に、枠部４２は登り傾斜となる。
【００３３】
また、レンズ５０は、出射面５１に点光源３０の直上部において、厚み方向に窪んだ凹部５２を有する。本実施形態では、凹部５２の断面形状が略逆円錐形状（またはすりばち形状）に形成されている。凹部５２は、点光源３０から出射した光を裏面５３側に反射させる機能を有する。なお、凹部５２では必ずしも点光源３０から出射する全ての光を裏面５３側に反射させる必要はなく、凹部５２から拡散板６０へと透過する光があってもよい。
【００３４】
また、レンズ５０の裏面５３には、反射部５４が形成される。反射部５４は、例えば、裏面５３から厚み方向に突出したドットであり、裏面５３全体に例えば均一に形成される。なお、凹部５２および反射部５４の光学特性については、反射板４０の光学特性とともに図７を用いて後述する。また、反射部５４はドットに限らない。
【００３５】
また、図５に示すように、レンズ５０は、裏面５３が枠部４２よりも上面に配置される。すなわち、底面４１を基準として、脚部５６の方が枠部４２よりも高さが高く形成される。なお、レンズ５０は、少なくとも一部が枠部４２の開口面４５を挟んで点光源３０と対向して設けられることにしてもよい。言い換えれば、実施形態に係る面状照明装置１は、レンズ５０の出射面５１が枠部４２よりも上面に配置されていれば、後述する効果を奏することが可能である。
【００３６】
開口面４５は、１つの点光源３０に対応する枠部４２の先端部分を繋いだ面であり、図５では、開口面４５を破線で示す。なお、開口面４５は、必ずしも平面である必要はなく、曲面を含むことにしてもよい。また、上面視においてレンズ５０を枠部４２の開口面４５よりも大きくし、枠部４２上にレンズ５０を設置することにしてもよい。また、枠部４２は、テーパ状に限られず、断面視において直方体状であってもよい。
【００３７】
次に、図６を用いて実施形態に係るレンズ５０の裏面５３側の形状について説明する。図６は、実施形態に係るレンズ５０の裏面５３側から見た斜視図である。なお、図６では、図５に示した反射部５４の記載を省略して示す。
【００３８】
図６に示すように、レンズ５０の裏面５３には、例えば、４つの脚部５６が形成される。４つの脚部５６は、例えば、それぞれ同じ高さに形成される。また、脚部５６のそれぞれの底面には、それぞれ接着剤やテープ等の接着部材を塗布され、基板２０に固定される。
【００３９】
これにより、レンズ５０を強固に基板２０に固定することができる。言い換えれば、レンズ５０と、点光源３０との位置ズレを防止することができる。なお、ここでは、レンズ５０が４つの脚部５６を備える場合について示したが、脚部５６は、３つ以下や５つ以上であってもよい。また、レンズ５０は、脚部５６以外で固定されることにしてもよい。
【００４０】
次に、図７を用いて実施形態に係る反射板４０およびレンズ５０の配光特性について説明する。図７は、実施形態に係るレンズ５０および反射板４０の配光特性を示す図である。なお、図７では、光の光路を破線で示す。
【００４１】
点光源３０から出射した光は、凹部５２によって裏面５３側に反射する。続いて、かかる光は、裏面５３に設けられた反射部５４によって再度出射面５１側に反射する。そして、反射部５４で反射された光は、出射面５１の平坦部５７から出射する。
【００４２】
凹部５２で裏面５３側に反射した光は、裏面５３に設けられた反射部５４によって再び出射面５１側に反射されるものの、図示のように一部が裏面５３を透過する。裏面５３を透過した光は、反射板４０に導かれる。
【００４３】
このとき、枠部４２に光が入射すると、枠部４２の傾斜した面で反射し、レンズ５０の間から出射する。つまり、枠部４２を傾斜させて設けることで、裏面５３を通過した光を隣接するレンズ５０間から出射することができる。
【００４４】
これにより、レンズ５０のみならず、レンズ５０の周囲から光を出射することが可能となる。つまり、実施形態に係る面状照明装置１は、枠部４２の１つの開口を１つの出射面として捉えると、開口全体で面発光することが可能となる。
【００４５】
これにより、隣接するレンズ５０間の境界領域の輝度、すなわち、輝度の均一性を向上させることが可能となる。また、枠部４２を設けることで、隣接する枠部４２の開口への光の漏れを抑制することが可能となる。これにより、隣接するレンズ５０間での輝度のコントラストを向上させることが可能となる。
【００４６】
したがって、実施形態に係る面状照明装置１によれば、輝度の均一性およびコントラストの双方を向上させることが可能となる。また、枠部４２によって隣接するレンズ５０側への光の漏れを抑制するので、出射効率の向上も期待することができる。
【００４７】
次に、図８〜図１０を用いて枠部４２の有無による比較結果について説明する。図８〜図１０は、実施形態に係る枠部４２の有無による輝度分布の比較結果を示す図である。なお、図８〜図１０では、点光源３０を格子状に９灯配置し、それぞれ異なる数の点光源３０を点灯させた場合における輝度分布のシミュレーション結果を示す。また、以下の図面に示す丸は、それぞれ点光源３０の位置を示す。なお、以下においては、図８および図９では、輝度を濃淡で表し、濃淡が濃いほど、輝度が強いものとし、図１０では、濃淡が薄いほど、輝度が強いものとする。
【００４８】
まず、図８を用いて９灯点灯時の比較結果について説明する。図８に示すように、反射板４０に枠部４２がある場合の方が、反射板４０に枠部４２がない場合に比べて全体的に輝度が向上することが分かる。
【００４９】
これは、上述のように、枠部４２によって出射効率が向上したためである。すなわち、枠部４２によって、点光源３０から出射した光を隣接する点光源３０側に漏らすことなく、効率的に出射面５１側から出射させることができるので、輝度コントラストを向上させることが可能となる。
【００５０】
次に、図９を用いて４隅および中央に位置する５つの点光源３０を点灯させた場合について説明する。図９に示すように、枠部４２がある方が、枠部４２がない場合に比べて、点灯している点光源３０上の輝度が向上し、点灯していない点光源３０間との境界が明確である。
【００５１】
すなわち、枠部４２がない場合、点灯している点光源３０上の輝度が弱く、隣接する点光源３０の境界が、枠部４２がある場合に比べて不明確である。一方、枠部４２がある場合、枠部４２がない場合に比べて出射効率が高いので、点灯している点光源３０上の輝度が強くなる。また、枠部４２によって隣接する点光源３０側に光を漏らさないので、点灯していない点光源３０とのコントラストを向上させることが可能となる。
【００５２】
次に、図１０を用いて中央の位置する１つの点光源３０を点灯させた場合について説明する。図１０に示すように、枠部４２がある方が、点光源３０直上の中心の輝度が向上し、かつ、他の点光源３０とのコントラストが向上する。
【００５３】
すなわち、図８〜図１０に示したいずれもの場合においても、反射板４０に枠部４２を設けた場合の方が、反射板４０に枠部４２がない場合に比べ、輝度およびコントラストが向上する。
【００５４】
つまり、実施形態に係る面状照明装置１は、反射板４０に枠部４２を設けることで、多様な点灯パターンにおいても、コントラストと輝度の均一性とを向上させることができる。
【００５５】
上述したように、実施形態に係る面状照明装置１において、複数の点光源３０は、格子状に配列される。反射板４０は、複数の点光源３０のそれぞれの側面を囲う枠部４２を有する。レンズ５０は、少なくとも一部が枠部４２の開口面４５を挟んで点光源３０と対向して設けられる。したがって、実施形態に係る面状照明装置１によれば、コントラストと輝度の均一性とを向上させることができる。
【００５６】
＜変形例＞
ところで、上述した実施形態では、レンズ５０が点光源３０毎に設けられるレンズである場合について説明したが、レンズ５０は単体で複数の点光源３０を覆うレンズであってもよい。そこで、以下、本発明を単体で複数の点光源３０を覆うレンズに適用する場合について説明する。
【００５７】
まず、図１１を用いて変形例に係るレンズ５０Ｂの概要について説明する。図１１は、変形例に係るレンズの配置例を示す上面図である。図１１に示すように、変形例に係るレンズ５０Ｂは、複数の点光源３０を覆う点で実施形態に係るレンズ５０と異なる。
【００５８】
格子状に並んだ複数の点光源３０のうち、短手方向（Ｙ軸）に並んだ複数の点光源３０を単体で覆い、長手方向（Ｘ軸）に沿って並列して配置される。レンズ５０Ｂは、上面視において矩形状または略矩形状である。本実施形態にかかるレンズ５０Ｂは、上面視において、短手方向（Ｙ軸）に平行に延びる辺が長辺で、長手方向（Ｘ軸）に平行な方向に延びる辺が短辺の長方形形状である。
【００５９】
このように、レンズ５０Ｂは、短手方向に並ぶ複数の点光源３０を覆うことで、長手方向に並ぶ複数の点光源３０を覆う場合に比べて、レンズ長を短くすることができる。
【００６０】
これは、点光源３０の発熱や、周囲環境温度により、レンズ５０Ｂが熱膨張（収縮）するためであり、レンズ５０Ｂの熱膨張により点光源３０とレンズ５０Ｂとの位置ずれが起こることによるレンズ５０Ｂの光学特性の低下を抑制するためである。仮に、レンズ５０Ｂの単位体積当たりの膨張率が同じであると仮定すると、レンズ長が長いほど、膨張（収縮）する体積が増えるのでレンズ５０Ｂが大きく膨張（収縮）する。
【００６１】
また、レンズ５０Ｂには、点光源３０の位置を基準にしてレンズ５０Ｂと同様に凹部５２（ここでは不図示）が形成される。このため、レンズ５０と点光源３０との位置にズレが生じると、レンズ５０の配光特性が低下する。
【００６２】
つまり、変形例に係るレンズ５０Ｂは、比較的レンズ長が短くて済む短手方向に配列した点光源３０を覆うことで、レンズ５０Ｂの熱膨張あるいは熱収縮によるレンズ５０Ｂと点光源３０との位置ずれを小さくすることができる。これにより、配光特性の低下を抑制することが可能となる。
【００６３】
また、図１１に示すように、レンズ５０Ｂは、一列の点光源３０を覆う。これにより、レンズ５０Ｂの幅（Ｘ軸方向の長さ）を小さくすることができるので、出射面が湾曲した面状照明装置１に適用することができる。
【００６４】
なお、レンズ５０Ｂは、長手方向に沿って点光源３０を覆うようにしてもよく、また、複数の列の点光源３０を覆うようにしてもよい。かかる場合に、レンズ５０Ｂの枚数を少なくすることができるため、組み立て工程を短くすることができる。
【００６５】
次に、図１２を用いて変形例に係るレンズ５０Ｂの固定例について説明する。図１２は、変形例に係るレンズ５０Ｂの固定例を示す図である。図１２に示すように、レンズ５０Ｂは、底面側から枠部４２により支持される。すなわち、枠部４２は、上述の配光制御のみならず、レンズ５０Ｂを支持することも可能である。
【００６６】
また、レンズ５０Ｂは、上面側からスペーサ７０によって押圧される。スペーサ７０には、上フレーム１１（図３Ａ等参照）から所定の押圧力が加わり、スペーサ７０は、かかる押圧力によってレンズ５０Ｂを押圧することができる。
【００６７】
また、レンズ５０Ｂは、脚部５６Ｂが基板２０に設けられた貫通孔に挿入されることで、基板２０上に固定される。これにより、レンズ５０Ｂが、基板２０から側面（ＸＹ平面）方向へずれるのを抑制することができる。すなわち、変形例に係るレンズ５０Ｂは、上面からスペーサ７０によって押圧され、かつ、脚部５６Ｂによって基板２０上に位置決めされる。これにより、レンズ５０Ｂの位置ずれを抑制することができるので、レンズ５０Ｂの位置ずれによる配光特性の低下を抑制することが可能となる。
【００６８】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【００６９】
１、１Ｂ  面状照明装置、２０  基板、３０  点光源、４０  反射板、４２  枠部、４５  開口面、５０  レンズ、５２  凹部、５４  反射部
【図１】
2019109993.tif 000003
【図２】
2019109993.tif 000004
【図３Ａ】
2019109993.tif 000005
【図３Ｂ】
2019109993.tif 000006
【図４】
2019109993.tif 000007
【図５】
2019109993.tif 000008
【図６】
2019109993.tif 000009
【図７】
2019109993.tif 000010
【図８】
2019109993.tif 000011
【図９】
2019109993.tif 000012
【図１０】
2019109993.tif 000013
【図１１】
2019109993.tif 000014
【図１２】
2019109993.tif 000015